(57)【特許請求の範囲】
【請求項１】
一端側に開口し、短冊状に立設され揮散性薬剤を前記開口に面する面を除いて前記揮散性薬剤と接触するように複数に分割して収容する分割部材を有する容器体と、
回転軸を有する複数の可動フラップ片が、互いに重なって前記開口を塞ぐ閉鎖位置と互いに離隔して前記開口を開放する開放位置の間で前記回転軸で回転し前記揮散性薬剤から揮散する揮散成分を通過させる開閉可能な蓋体と、を備えた、
ことを特徴とする収容容器。
【請求項２】
揮散性薬剤と、
請求項１に記載の収容容器と、を備えた、
ことを特徴とする香り発生装置。
【請求項３】
前記揮散性薬剤が、揮散性物質を保持するゲル成形体である、
ことを特徴とする請求項２に記載の香り発生装置。
【請求項４】
装置本体から排気される空気の流通方向における下流側に設置して、芳香剤又は消香剤から選ばれる揮発性物質を放出するために使用される、
ことを特徴とする請求項２又は３に記載の香り発生装置。
【請求項５】
前記開放位置で前記可動フラップ片が前記空気を前記空気の流通方向における下流側に導く方向に傾斜している、
ことを特徴とする請求項４記載の香り発生装置。
【請求項６】
前記装置本体が、機内で発生する熱を前記装置本体に設けた排気手段で機外へ排出する画像形成装置である、
ことを特徴とする請求項４又は５に記載の香り発生装置。
【発明の詳細な説明】
【技術分野】
【０００１】
本発明は、収容容器、これを用いた香り発生装置に関する。
【背景技術】
【０００２】
装置内の気体を外部に強制排気するファンと、処理中に装置内で発生するオゾンの濃度を低減するためのフィルタと、排気用の排気口とを備えた電子写真式の画像形成装置の排気方式において、ファンと排気口との間に芳香剤を有する画像形成装置の排気方式が知られている（特許文献１）。
収容した薬剤を容器体に開設された揮散孔から揮散する芳香剤において、
前記容器体の外周面に弾性体を突出させた状態で設け、当該容器体をドアポケットに収容した状態で該ドアポケットの内側面に前記弾性体が当接するように構成した芳香剤も知られている（特許文献２）。  
【先行技術文献】
【特許文献】
【０００３】
【特許文献１】特開平２−２７５９６９号公報
【特許文献２】特開２０１４−５０４９１号公報
【発明の概要】
【発明が解決しようとする課題】
【０００４】
容器に収容された香料成分を含むゲル体は、時間の経過とともに空気と接している表面から香料成分が揮発しゲル体表面中心部に向かって収縮するために、表面積が変化して一定の香りを提供できないことがあった。
本発明は、環境によらず、周辺環境へ一定した強度の香りを効率的に提供する揮散性薬剤の収容容器、これを用いた香り発生装置を提供することを目的とする。
【課題を解決するための手段】
【０００６】
前記課題を解決するために、請求項１に記載の収容容器は、
一端側に開口し、短冊状に立設され揮散性薬剤を前記開口に面する面を除いて前記揮散性薬剤と接触するように複数に分割して収容する分割部材を有する容器体と、
回転軸を有する複数の可動フラップ片が、互いに重なって前記開口を塞ぐ閉鎖位置と互いに離隔して前記開口を開放する開放位置の間で前記回転軸で回転し前記揮散性薬剤から揮散する揮散成分を通過させる開閉可能な蓋体と、を備えた、
ことを特徴とする。
【００１２】
前記課題を解決するために、請求項２に記載の香り発生装置は、
揮散性薬剤と、
請求項１に記載の収容容器と、を備えた、
ことを特徴とする。
【００１３】
請求項３記載の発明は、請求項２に記載の香り発生装置において、
前記揮散性薬剤が、揮散性物質を保持するゲル成形体である、
ことを特徴とする。
【００１４】
請求項４記載の発明は、請求項２又は３に記載の香り発生装置において、
装置本体から排気される空気の流通方向における下流側に設置して、芳香剤又は消香剤から選ばれる揮発性物質を放出するために使用される、
ことを特徴とする。
【００１５】
請求項５記載の発明は、請求項４に記載の収容容器において、
前記開放位置で前記蓋体が前記空気を前記空気の流通方向における下流側に導く方向に傾斜している、
ことを特徴とする。
【００１７】
請求項６記載の発明は、請求項４又は５に記載の香り発生装置において、
前記装置本体が、機内で発生する熱を前記装置本体に設けた排気手段で機外へ排出する画像形成装置である、
ことを特徴とする。
【発明の効果】
【００１８】
請求項１に記載の発明によれば、揮散性薬剤を分割して収容する分割部材を備えていない場合に比して、揮散性物質の揮散に伴って揮散性薬剤が収縮しても周辺環境へ一定した強度の香りを効率的に通過させることができる。
請求項２に記載の発明によれば、環境によらず、周辺環境へ一定した強度の香りを効率的に提供することができる。
請求項３に記載の発明によれば、揮散性物質がゲル成形体でない場合に比して、運搬、保存、取り扱いを容易に行うことができる。
請求項４に記載の発明によれば、香り発生装置が設置された装置の利用者を含む周辺環境へ安定した濃度で香りを提供することができる。
請求項５に記載の発明によれば、外部の空気の香り発生装置への流入を抑制することができる。
請求項６に記載の発明によれば、香り発生装置が設置された画像形成装置の利用者を含む周辺環境へ安定した濃度で香りを提供することができる。
【図面の簡単な説明】
【００１９】
【図１】（ａ）は香り発生装置１の外観全体を示す斜視図、（ｂ）は容器体２０のＸ−Ｘ縦断面図、（ｃ）は容器体２０のＹ−Ｙ縦断面図である。
【図２】蓋体３０の開閉機構の構成を示す断面模式図である。
【図３】（ａ）は一定の横断面積を有する比較例の容器体を有する香り発生装置１００におけるゲル成形体の変化を説明する断面模式図、（ｂ）は本実施形態に係る香り発生装置１におけるゲル成形体の変化を説明する断面模式図である。
【図４】香り発生装置１における蓋体３０の機能を説明する断面模式図である。
【図５】（ａ）は本実施形態に係る香り発生装置１Ａの外観全体を示す斜視図、（ｂ）は縦断面図、（ｃ）は横断面図である。
【図６】（ａ）は変形例に係る香り発生装置１ＡＢの縦断面図、（ｂ）は横断面図である。
【図７】（ａ）は香り発生装置１Ｂの下面側に視点をおいた外観全体を示す斜視図、（ｂ）は縦断面図、（ｃ）は横断面図である。
【図８】（ａ）は変形例に係る香り発生装置１Ｃの下面側に視点をおいた外観全体を示す斜視図、（ｂ）は縦断面図、（ｃ）は横断面図である。
【図９】（ａ）は香り発生装置１が設置された画像形成装置２００の斜視図、図９（ｂ）は香り発生装置１Ｂが設置された画像形成装置２００の斜視図、（ｃ）は画像形成装置２００の排気を説明する平面視した部分断面図、（ｄ）は排気側の部分断面図である。
【発明を実施するための形態】
【００２０】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
尚、以後の説明の理解を容易にするために、図面において、前後方向をＸ軸方向、左右方向をＹ軸方向、上下方向をＺ軸方向とする。
【００２１】
「第１実施形態」
（１）香り発生装置の構成
図１（ａ）は香り発生装置１の外観全体を示す斜視図、（ｂ）はＸ−Ｘ縦断面図、（ｃ）はＹ−Ｙ縦断面図、図２は蓋体３０の開閉機構の構成を示す断面模式図である。
香り発生装置１は、揮散性薬剤１０と、揮散性薬剤１０を内部に収容する容器体２０と、容器体２０の開口を覆う蓋体３０とから構成されている。
【００２２】
（１．１）容器体
容器体２０は、一端側が開口した有底の凹状容器体で、その横断面積が開口部２２から底部２３に向かって漸次減少するように形成されている。
具体的には、図１（ｃ）に示すように、Ｘ−Ｘ断面において対向する内壁面２１ａが開口部２２から底部２３に向かって先細となるようにテーパ状に傾斜して形成されている。
同様に、Ｙ−Ｙ断面においても対向する内壁面２１ｂが開口部２２から底部２３に向かって先細となるようにテーパ状に傾斜して形成されている。
【００２３】
開口部２２は、略矩形の開口面となっており（図１（ｂ）参照）、開口部２２の周縁にはフランジ部２２ａが形成されている。フランジ部２２ａは、蓋体３０の内面を受けて蓋体３０と接合され、揮散性薬剤１０が収容された容器体２０を密閉する。
尚、容器体２０の開口部２２から平面視した平面形状としては、矩形のほか、円形、長円形、その他の形状であってもよい。
【００２４】
容器体２０は、材料としては、容器体２０の収容部Ｓ１内にゲル成形体を充填して保持できるものであれば特に限定されないが、合成樹脂を用いて射出成形等により形成される。合成樹脂としては、主として、高密度ポリエチレン（ＨＤＰＥ）、低密度ポリエチレン（ＬＤＰＥ）、ポリプロピレン（ＰＰ）、ポリカーボネート（ＰＣ）、ポリスチレン（ＰＳ）、ポリエチレンテレフタレート（ＰＥＴ）、ポリアミド（ＰＡ）、アクリロニトリル・ブタジエン・スチレン（ＡＢＳ）、バイオプラスチック等が挙げられる。
【００２５】
（１．２）蓋体
蓋体３０は、平面視略矩形の板状体で、容器体２０の開口部２２の周縁に形成されたフランジ部２２ａと接合され、蓋体３０の上面３１には、開閉機構の一例として可動フラップ機構３５が設けられている。
可動フラップ機構３５は、図２に示すように、開口部２２を塞ぐ閉鎖位置と互いに離間して開口部２２を開放する開放位置とを切り替えるようになっている。
【００２６】
具体的には、可動フラップ機構３５は、板状のフラップ３６が複数それぞれ支軸３７回りに回転可能に支持され、それぞれのフラップ３６が支軸３７回りに回転することで、隣接するフラップ３６同士の端縁部が重なり合って開口部２２を塞ぐ閉鎖位置（図２（ａ）参照）と、隣接するフラップ３６同士の端縁部が離間して開口部２２を開放する開放位置（図２（ｂ）参照）とをとり得るように構成されている。
【００２７】
本実施形態では、複数（７枚）のフラップ３６が設けられ、可動フラップ機構３５は、使用状態において、閉鎖位置から開放位置へ回転操作されて開口部２２が開放される。
尚、駆動源を備えた装置本体に設置されて使用される場合には、装置本体に設けられたアクチュエータ等（不図示）によって開閉されてもよい。
【００２８】
可動フラップ機構３５は、開放位置では、図２（ｂ）に示すようにそれぞれのフラップ３６が形成する通気路３８が断面視一定方向に傾斜して停止するように回転が規制されている。その結果、香り発生装置１が設置された状態で蓋体３０の上方を空気流が流通した場合には、通気路３８を介して容器体２０の内部から揮散した香り成分が空気流の流通方向に拡散する。
【００２９】
（１．３）揮散性薬剤
揮散性薬剤１０は、揮散性物質を保持し、容器体２０の収容部Ｓ１内に充填されて保持されたゲル成形体である。ゲル成形体に保持される揮散性物質は、ゲル成形体から揮散により蓋体３０の通気路３７を通過して外部に拡散される物質であり、揮散性の芳香剤、香料、消香剤などが挙げられる。これらの揮散性物質は、水溶性でも油溶性でもよいが、ゲル中に均一に溶解または分散してゲル成形体を形成し、ゲルの表面から揮散するものが好ましい。
【００３０】
ゲル成形体は、揮散性物質を溶解して保持するゲルから形成され、ゲル成分としては、ゼラチン、オイルゲル、吸水ポリマー、多官能の酸とポリオールの重縮合ゲル等の公知のゲルが用いられるが、開口部２２側が上下いずれの方向でも使用できるように、形状保持性を有するように形成される。
【００３１】
（２）香り発生装置の作用
図３（ａ）は一定の横断面積を有する比較例の容器体を有する香り発生装置１００におけるゲル成形体の変化を説明する断面模式図、（ｂ）は本実施形態に係る香り発生装置１におけるゲル成形体の変化を説明する断面模式図、図４は香り発生装置１における蓋体３０の機能を説明する断面模式図である。
香り発生装置１の使用状態では、容器体２０内のゲル成形体は蓋体３０の通気路３８を通して空気と接触することになり、ゲル成形体に含まれる揮散性物質としての芳香剤、香料、消香剤等の揮発成分がゲル成形体の表面から外部に揮散し、香り発生装置としての機能を発揮する。
【００３２】
使用開始直後は容器体２０内に充填されたゲル成形体の開口部２２側の表面からのみ揮散性物質が放出されるが、揮散が進んでゲル成形体が収縮する（図中  矢印参照）と、ゲル成形体は揮散する表面積が増加する（図３（ａ）、（ｂ）中  Ａ１、Ｂ１参照）。
【００３３】
そして、大気との接触面積は大きくなり、ゲル成形体内の揮散性物質は略均一に分散しているために、大気に接触する表面積が増加した分だけ揮散性物質の揮散効率は高くなる。
リフレッシュや癒しの効果を狙った香りの発生は、周囲の利用者に快適な感情を引き起こす一方、揮散性物質の揮散量が安定せず、香り成分の濃度が必要以上に高くなりすぎると周囲の利用者の不快感につながる虞がある。
【００３４】
本実施形態に係る香り発生装置１は、揮散性薬剤１０としての揮散性物質を保持したゲル成形体を収容した容器体２０の横断面積が開口部２２から底部２３に向かって漸次減少するように形成されている。
そのために、横断面積が一定の収容部を有する場合に比して、ゲル成形体が収縮しても、揮散する表面積（Ｂ１）の増加が抑制され、揮散効率の変化を抑制することができる（図３（ｂ）参照）。
【００３５】
蓋体３０の上面３１には、可動フラップ機構３５が設けられている。可動フラップ機構３５は、開口部２２を塞ぐ閉鎖位置（図２（ａ）参照）と、破線で示す開口部２２を開放する開放位置（図２（ｂ）参照）とをとり得るように構成されている。
そして、フラップ３６が、例えば、外部に設けられたアクチュエータ（不図示）によって駆動されることにより、閉鎖位置と開放位置の間に停止させ、それぞれのフラップ３６が形成する通気路３８の外部との開口面積を変化させることができる。
その結果、ゲル成形体の表面から揮散する香り成分の外部への通過量を変化させることができる。
【００３６】
それぞれのフラップ３６が形成する通気路３８が断面視一定方向に傾斜して停止するように回転が規制されている。その結果、香り発生装置１が設置された状態で蓋体３０の上方を空気流（図４中  矢印Ｒ参照）が流通した場合には、空気流の容器体２０内への流入が抑制され、揮散性物質の揮散効率の変化を抑制することができる。
【００３７】
「第２実施形態」
（１）香り発生装置の構成
図５（ａ）は本実施形態に係る香り発生装置１Ａの外観全体を示す斜視図、（ｂ）は縦断面図、（ｃ）は横断面図である。
香り発生装置１Ａは、揮散性薬剤１０と、揮散性薬剤１０を内部に収容する容器体２０Ａと、容器体２０Ａの開口を覆う蓋体３０とから構成されている。
【００３８】
本実施形態の香り発生装置１Ａは、一端側に開口し揮散性薬剤１０を分割して内部に収容する分割部材２５を有する容器体２０Ａを有する点で第１実施形態と異なっている。
以下、本実施形態の香り発生装置１Ａの構成について図５を用いて説明するが、第１実施形態に係る香り発生装置１と共通の構成要素には、同一の符号を付し、その詳細な説明は省略する。
【００３９】
（１．１）容器体
容器体２０Ａは、一端側が開口した有底の凹状容器体で、揮散性薬剤１０を分割して内部に収容する分割部材２５を有する。
具体的には、図５（ｂ）、（ｃ）に示すように、底部２３Ａから複数の分割部材２５が短冊状に立設されて、揮散性薬剤１０は分割部材２５によって画成された収容部Ｓ２に分割された状態で収容される。
分割部材２５は、容器体２０Ａの底部２３Ａから一体として形成されても、別体として底部２３Ａ上に載置されてもよい。
【００４０】
開口部２２Ａは、略矩形の開口面となっており（図５（ｂ）参照）、開口部２２Ａの周縁にはフランジ部２２Ａａが形成されている。フランジ部２２Ａａは、蓋体３０の内面を受けて蓋体３０と接合され、揮散性薬剤１０が収容された容器体２０Ａを密閉する。
尚、容器体２０Ａの開口部２２Ａから平面視した平面形状としては、矩形のほか、円形、長円形、その他の形状であってもよい。
【００４１】
容器体２０Ａ及び分割部材２５は、材料としては、容器体２０Ａに形成された収容部Ｓ２内にゲル成形体を充填して保持できるものであれば特に限定されないが、合成樹脂を用いて射出成形等により形成される。合成樹脂としては、主として、高密度ポリエチレン（ＨＤＰＥ）、低密度ポリエチレン（ＬＤＰＥ）、ポリプロピレン（ＰＰ）、ポリカーボネート（ＰＣ）、ポリスチレン（ＰＳ）、ポリエチレンテレフタレート（ＰＥＴ）、ポリアミド（ＰＡ）、アクリロニトリル・ブタジエン・スチレン（ＡＢＳ）、バイオプラスチック等が挙げられる。
【００４２】
「変形例」
図６（ａ）は変形例に係る香り発生装置１ＡＢの縦断面図、（ｂ）は横断面図である。容器体２０ＡＢは、分割部材２５ＡＢが平面視格子状に立設されている。変形例の容器体２０ＡＢによれば、揮散性薬剤１０は、格子状に画成されたそれぞれの収容部Ｓ３に収容される。
【００４３】
（２）香り発生装置の作用
本実施形態に係る容器体２０Ａ及びその変形例としての容器体２０ＡＢは、それぞれ分割部材２５、２５ＡＢによって画成された収容部Ｓ２、Ｓ３が、分割部材２５、２５ＡＢを有さない容器体に比して、それぞれの内壁で形成されるゲル成形体との接触面積が拡大されている。  
そのために、ゲル成形体の開口部２２側の表面から、揮散が進んでゲル成形体が収縮する場合でも、収容部Ｓ２、Ｓ３の分割部材２５、２５ＡＢで画成されたそれぞれ内壁面での収縮が抑制され、揮散性物質の揮散効率の変化が抑制される。
【００４４】
「第３実施形態」
（１）香り発生装置の構成
図７（ａ）は香り発生装置１Ｂの下面側に視点をおいた外観全体を示す斜視図、（ｂ）は縦断面図、（ｃ）は横断面図、図８（ａ）は変形例に係る香り発生装置１Ｃの下面側に視点をおいた外観全体を示す斜視図、（ｂ）は縦断面図、（ｃ）は横断面図である。
香り発生装置１Ｂは、揮散性薬剤１０と、揮散性薬剤１０を内部に収容する容器体２０Ｂと、容器体２０Ｂの開口を分割して開口し揮散性薬剤１０を下方から保持する保持部材２６とから構成されている。
【００４５】
（１．１）容器体
容器体２０Ｂは、下端開口部を有し、内部に揮散性薬剤１０を収容した状態で下端開口部は多数の開口部に分割された保持部材２６で塞がれている。
具体的には、図７（ｂ）に示すように、保持部材２６は開口部を有する平板上の蓋部材であり、下端開口部が多数の分割された開口部によって構成されている。
図７（ｂ）に一例として示す開口部は格子状に分割された多数の開口からなるが、開口部の分割態様は、これに限らず、円形、長円形、多角形等であってもよい。
【００４６】
容器体２０Ｂと保持部材２６は、容器体２０Ｂの開口した下面側から揮散性薬剤１０を収容した状態で、接着、溶着、スナップフィット等で接合することができる。また、香り発生装置１Ｂは、多数の開口部に分割された保持部材２６で塞がれた下面側から、外部に揮散性物質を通過させるように設置される。
そのために、容器体２０Ｂの上面側には、設置のための公知の取り付け具が設けられる。
【００４７】
（１．２）仕切り膜
図８（ｂ）に示すように、保持部材２６の揮散性薬剤１０と接触する面には、通気性シートからなる仕切り膜２７を設けてもよい。好適な通気性シートとしては、不織布が挙げられる。
仕切り膜２７を設けることで、保持部材２６の多数の開口部からの揮散性薬剤１０の漏出を抑制することができる。
【００４８】
（２）香り発生装置の作用
香り発生装置１Ｂは、容器体２０Ｂが、下端開口部を有し、内部に揮散性薬剤１０を収容した状態で下端開口部は多数の開口部に分割された保持部材２６で塞がれている。  
容器体２０Ｂに収容されたゲル成形体は下面側の保持部材２６に形成された多数の開口部を介して大気に接している。
そのために、ゲル成形体は、保持部材２６の開口部側の表面から揮散が進んで収縮する場合でも、ゲル成形体の自重によって下面側の開口部へ垂下し、大気と接触して揮散性物質が揮散する面積の増加が抑制され、揮散性物質の揮散効率の変化が抑制される。  
【００４９】
「第４実施形態」
図９（ａ）は香り発生装置１が設置された画像形成装置２００の斜視図、図９（ｂ）は香り発生装置１Ｂが設置された画像形成装置２００の斜視図、（ｃ）は画像形成装置２００の排気を説明する平面視した部分断面図、（ｄ）は排気側の部分断面図である。
図９（ｃ）、（ｄ）に示すように、画像形成装置２００の背面側の筐体内には排気ファンＦが設けられた通気ダクト２１０が配置されて、画像形成装置２００内の熱せられた空気を画像形成装置２００の外部へ排出する。通気ダクト２１０の空気吸引側となる吸気口２１０Ａは、定着装置（不図示）の側方の上方に位置し、通気ダクト２１０の排気側となる排気口２１０Ｂは、外装カバー２２０側に位置している。
【００５０】
外装カバー２２０には、画像形成装置２００外部と接続するように開口されたルーバ部２２１が形成され、通気ダクト２１０の排気口２１０Ｂと接続している。
図９（ａ）に示すように、外装カバー２２０のルーバ部の外側には凹部２２２が形成され、凹部２２２の底面２２２ａに、香り発生装置１が蓋体３０の可動フラップ機構３５を上側にして設置されている。
【００５１】
画像形成装置２００は、動作状態において排気ファンＦが回転すると、画像形成装置２００内部の空気が通気ダクト２１０の吸気口２１０Ａから吸入され、排気口２１０Ｂから外装カバー２２０のルーバ部２２１を介して装置外部へ排気される。
ルーバ部２２１から排気される空気流は、香り発生装置１の可動フラップ機構３５の上方を流通し、連通路３７を介して容器体２０の内部から揮散した香り成分が空気流の流通方向に拡散する。その結果、画像形成装置２００の利用者を含む周辺環境へ安定した濃度で香りを提供することができる。
【００５２】
香り発生装置１Ｂは、図９（ｂ）に示すように、凹部２２２の上面２２２ｂに下面側の開口を大気と接続するように設置されている。
ルーバ部２２１から排気される空気流は、香り発生装置１Ｂの下方を流通し、保持部材２６に形成された多数の開口部を介して揮散した香り成分が空気流の流通方向に拡散する。その結果、画像形成装置２００の利用者を含む周辺環境へ安定した濃度で香りを提供することができる。
【符号の説明】
【００５３】
１、１Ａ、１ＡＢ、１Ｂ、１Ｃ、１００・・・香り発生装置
１０・・・揮散性薬剤
２０、２０Ａ、２０ＡＢ、２０Ｂ・・・容器体
２１ａ、２１ｂ・・・内壁面
２２、２２Ａ・・・開口部
２２ａ、２２Ａａ・・・フランジ部
２３、２３Ａ・・・底部
２５、２５ＡＢ・・・分割部材
２６・・・保持部材
２７・・・仕切り膜
３０・・・蓋体
３５・・・可動フラップ機構
３６・・・フラップ
３７・・・支軸
３８・・・通気路
２００・・・画像形成装置
２１０・・・通気ダクト
２２０・・・外装カバー
２２１・・・ルーバ部
２２２・・・凹部
Ｆ・・・排気ファン
【図１】
0006550757.tif 000002
【図２】
0006550757.tif 000003
【図３】
0006550757.tif 000004
【図４】
0006550757.tif 000005
【図５】
0006550757.tif 000006
【図６】
0006550757.tif 000007
【図７】
0006550757.tif 000008
【図８】
0006550757.tif 000009
【図９】
0006550757.tif 000010